(57)【要約】      （修正有）【課題】作業者が牛の前肢の蹄の裏面に対する作業を安心して楽に行うことができる牛用前肢固定装置を提供する。【解決手段】基台１０と、枠体１２と、入口扉と、出口扉とを有する牛用前肢固定装置１において、枠体１２の左右両側に、胴部支承部２５をそれぞれ形成し、枠体１２の前方左右両側に、前肢固定部をそれぞれ形成し、前肢固定部は、胴部支承部２５よりも外側に位置するとともに、後側から前側に向かって斜め下向きに傾斜し、前肢固定部の前側端の高さが、基台１０上に立つ牛の橈骨がある部分の高さとなる構成とする。【選択図】図１
0003164026.tif 000002
【実用新案登録請求の範囲】
【請求項１】
基台と、当該基台上に形成された枠体と、当該枠体の後部に開閉自在に取り付けられた入口扉と、当該枠体の前部に開閉自在に取り付けられた出口扉と、を有し、
前記出口扉には、牛が頭部と頸部とを前方に突き出す開口部が形成されており、
前記枠体は、その左右両側に牛の脇腹と同じ高さに位置する胴部支承部をそれぞれ有し、左右の当該胴部支承部の幅は、前方から見た牛の胴体の横幅に対応する幅であり、
前記枠体の前方左右両側には、牛の前肢を固定する前肢固定部がそれぞれ設けられており、左側の当該前肢固定部は左側にある前記胴部支承部よりも左外側に張り出しており、右側の当該前肢固定部は右側にある前記胴部支承部よりも右外側に張り出しており、
前記前肢固定部は、後側から前側に向かって斜め下向きに傾斜しており、前記前肢固定部の前側端の高さは、前記基台上に立つ牛の前肢において、橈骨がある部分の高さであることを特徴とする牛用前肢固定装置。
【請求項２】
前記前肢固定部の内側は、牛の前肢の橈骨がある部分の外側形状又は中手骨がある部分の外側形状に対応して湾曲していることを特徴とする請求項１に記載の牛用前肢固定装置。
【請求項３】
前記前肢固定部の中間部に１本又は複数本の棒状部材が補助棒として植設されていることを特徴とする請求項１又は請求項２に記載の牛用前肢固定装置。
【請求項４】
前記前肢固定部には、牛の折り曲げた前肢を縛り付けて固定する緊縛部が、互いに異なる高さの複数箇所に形成されていることを特徴とする請求項１から請求項３のうちのいずれかの請求項に記載の牛用前肢固定装置。
【請求項５】
牛の前肢の橈骨がある部分又は中手骨がある部分を上方に引き上げる前肢引き上げ部を有することを特徴とする請求項１から請求項４のうちのいずれかの請求項に記載の牛用前肢固定装置。
【考案の詳細な説明】
【技術分野】
【０００１】
本考案は、牛の蹄の裏面に対して作業を行う際に使用する牛用前肢固定装置に関する。
【背景技術】
【０００２】
牛を飼育する農家においては、牛の蹄の裏面に対して作業を行わなければならないことがよくある。かかる作業のひとつに削蹄作業がある。削蹄作業は牛の蹄の機能を効率よく発揮させる上で欠かすことができない。削蹄作業は、熟練した技術を有する削蹄師によって行われる。削蹄師は剪鉗や蹄刀を用いて蹄を短く切ったり削ったりする。
削蹄作業を行う際、削蹄師は片手で牛の肢を自分の脇腹と太腿の間に抱えこみ、そして、牛蹄を上面に向け、削蹄作業を行う。
また、牛の蹄の裏面の治療や手入れ等する場合にも、作業者が片手で牛の肢を自分の脇腹と太腿の間に抱えこみ、必要な作業を行う。
【０００３】
例えば、削蹄師が削蹄作業を行う際、その作業の効率化を図るために、様々な削蹄用の道具がこれまでに提供されている。かかる削蹄用の道具として、例えば削蹄用カッターがある（特許文献１を参照）。
この削蹄用カッターは、駆動装置と、上下の刃と、可動枠と、を備え、蹄の切除が人力を必要とすることなく行われる。
【先行技術文献】
【特許文献】
【０００４】
【特許文献１】特開２００３−２３５３８３号公報
【考案の概要】
【考案が解決しようとする課題】
【０００５】
しかし、前述の削蹄用カッターを用いるに際し、削蹄師は牛の肢を自分の脇腹と太腿の間に抱えこまなければならない。削蹄作業の間、牛は３本の肢で立っていなければならない。牛がバランスを崩したりすると、牛が削蹄師の上に倒れかかる危険性がある。このため、削蹄作業中、削蹄師は常に牛の姿勢が安定しているか注意を払う必要があり、削蹄師の負担は依然として大きい。
【０００６】
また、牛の蹄の裏面の治療や手入れ等の作業を行う場合にも、作業者は常に牛の姿勢が安定しているか注意を払う必要があり、作業者は大きな負担を強いられる。
本考案は、上記問題を解決するものであり、その目的とするところは、牛の蹄の裏面に対して何らかの作業を行う場合に、作業者が安心して楽に作業を行うことが可能な牛用前肢固定装置を提供することである。
【課題を解決するための手段】
【０００７】
本考案は、その課題を解決するために以下のような構成をとる。請求項１の考案に係る牛用前肢固定装置は、基台と、当該基台上に形成された枠体と、当該枠体の後部に開閉自在に取り付けられた入口扉と、当該枠体の前部に開閉自在に取り付けられた出口扉と、を有し、前記出口扉には、牛が頭部と頸部とを前方に突き出す開口部が形成されており、前記枠体は、その左右両側に牛の脇腹と同じ高さに位置する胴部支承部をそれぞれ有し、左右の当該胴部支承部の幅は、前方から見た牛の胴体の横幅に対応する幅であり、前記枠体の前方左右両側には、牛の前肢を固定する前肢固定部がそれぞれ設けられており、左側の当該前肢固定部は左側にある前記胴部支承部よりも左外側に張り出しており、右側の当該前肢固定部は右側にある前記胴部支承部よりも右外側に張り出しており、前記前肢固定部は、後側から前側に向かって斜め下向きに傾斜しており、前記前肢固定部の前側端の高さは、前記基台上に立つ牛の前肢において、橈骨がある部分の高さである。
【０００８】
例えば、牛の前肢の蹄の裏面に対して、何らかの作業を行う場合、作業者は、削蹄する牛を入口扉から牛用前肢固定装置に入れ、左右の胴部支承部の間に立たせ、出口扉の開口部に牛の頭部と頸部を入れ、牛の頭部と頸部を出口扉から前方に突き出させる。次いで、牛の前肢を手根骨がある位置で折り曲げ、この折り曲げた前肢の蹄の生え際を前肢固定部に縛り付けるなどして固定する。必要に応じて前肢の中手骨がある部分を予め前肢固定部に縛り付けるなどして固定することができる。牛は１本の前肢と２本の後肢で立つ姿勢となる。
【０００９】
前肢固定部に固定された前肢の蹄の裏面は、後方を向いた状態となる。前肢固定部は胴部支承部よりも外側に位置しているので、前肢の蹄の裏面も胴部支承部よりも外側の位置に固定されることとなる。
作業者は、前肢固定部に固定した前肢の蹄に対して必要な作業を行う。作業する前肢が前肢固定部に固定されているので、作業者は自らの身体を用いて牛の前肢を抱え込む必要が無く、自由な体勢で楽に作業を行うことができる。
万一、牛が身体のバランスを崩すことがあっても、牛は左右の胴部支承部によって身体を支えることができ、牛が作業者の上に倒れてくることが防止される。
【００１０】
請求項２の考案に係る牛用前肢固定装置は、請求項１に記載の牛用前肢固定装置であって、前記前肢固定部の内側は、牛の前肢の橈骨がある部分の外側形状又は中手骨がある部分の外側形状に対応して湾曲している。
前肢固定部の内側が牛の肢の外側の形状に対応して湾曲しているので、作業者は、折り曲げた状態の牛の前肢をしっかりと前肢固定部に沿わせて固定することができる。また、牛が前肢固定部に固定されている前肢を動かそうとしても、前肢の固定は緩みにくい。作業者が必要な作業を行っている間、作業対象である蹄がしっかりと固定され、その作業の効率が向上する。
【００１１】
請求項３の考案に係る牛用前肢固定装置は、請求項１又は請求項２に記載の牛用前肢固定装置であって、前記前肢固定部の中間部に１本又は複数本の棒状部材が補助棒として植設されている。
作業者は、折り曲げた前肢の蹄の生え際を前肢固定部に固定する際、先ず、牛にその前肢を適当な高さまで上げさせなければならない。作業者は、適当な高さまで上がった前肢を補助棒に縛り付けるなどして固定してから、蹄の生え際を前肢固定部に固定することができる。予め、前肢を補助棒に固定しておくことで、蹄の裏面を作業者が望む高さにもってくることが容易になる。
【００１２】
請求項４の考案に係る牛用前肢固定装置は、請求項１から請求項３のうちのいずれかの請求項に記載の牛用前肢固定装置であって、前記前肢固定部には、牛の折り曲げた前肢を縛り付けて固定する緊縛部が、互いに異なる高さの複数箇所に形成されている。
作業者は、牛の折り曲げた前肢を縛り付けて固定する緊縛部を適宜選択することによって、前肢固定部に固定される蹄の高さや蹄の裏面の角度を調整できる。
【００１３】
請求項５の考案に係る牛用前肢固定装置は、請求項１から請求項４のうちのいずれかの請求項に記載の牛用前肢固定装置であって、牛の前肢の橈骨がある部分又は中手骨がある部分を上方に引き上げる前肢引き上げ部を有する。
前肢引き上げ部は、例えば、牛の前肢の中手骨がある部分や橈骨がある部分を支えたり固定したりするロープや帯等を有する。このロープや帯等を上方に引き上げれば牛の前肢を上方に引き上げることができる。前肢の蹄が宙に浮いた状態となれば、前肢を折り曲げた状態とすることは容易である。ロープや帯等を上方に引き上げるに際しては、人力を用いても良いし、巻き上げ機等の外部動力源を用いても良い。また、牛の前肢を上方に引き上げるために用いるロープや帯等が幅広ベルトであれば、牛の前肢に対する負担が軽減される。
【考案の効果】
【００１４】
上記のような牛用前肢固定装置であるので、作業者は牛の前肢の蹄の裏面に対する作業を安心して楽に行うことができる。
【図面の簡単な説明】
【００１５】
【図１】牛用前肢固定装置の右側面図である。
【図２】牛用前肢固定装置の前面図である。
【図３】牛用前肢固定装置の後面図である。
【考案を実施するための形態】
【００１６】
本考案の実施の形態を図１から図３を参照しつつ説明する。なお、以下の説明において左右というときは、図２における左右をいうものとする。
図１から図３に示すように、牛用前肢固定装置１は、基台１０と枠体１２を有し、枠体１２が基台１０の上に設置されている。枠体１２は、基台１０の左前隅に立設された柱状部材１４Ｌ、基台１０の右前隅に立設された柱状部材１４Ｒ、基台１０の左後隅に立設された柱状部材１５Ｌ、基台１０の右後隅に立設された柱状部材１５Ｒを有する。枠体１２は四角形の上枠１６を有し、柱状部材１４Ｌ、１４Ｒ、１５Ｌ、１５Ｒが上枠１６の四隅を下から支承している。
【００１７】
枠体１２の前後の長さは、牛の前胸部から尾までの長さに対応した長さであり、枠体１２の左右の幅は、牛を前方から見たときの胴体の横幅に対応する幅である。
枠体１２の後部に片開きの入口扉１８が開閉自在に取り付けられており、入口扉１８は柱状部材１５Ｒによって軸止されている。入口扉１８はロック（図示せず）を有する。枠体１２の前部に観音開きの出口扉１９が開閉自在に取り付けられており、出口扉１９はロック（図示せず）を有する。
【００１８】
出口扉１９は右扉１９Ｒと左扉１９Ｌを有する。右扉１９Ｒは柱状部材１４Ｒに軸止されており、左扉１９Ｌは柱状部材１４Ｌに軸止されている。出口扉１９が閉じた状態で、右扉１９Ｒと左扉１９Ｌとの合わせ目の上部には開口部２０がある。開口部２０は、基台１０の上に立つ牛がその頭部と頸部を入れることができる高さと幅を有する。
上枠１６の前側の辺から前方に向かって棒状部材２２が延出しており、棒状部材２２の先端に滑車２３が取り付けられている。
【００１９】
枠体１２は、その左右両側に胴部支承部２５を有する。左側の胴部支承部２５の前端が柱状部材１４Ｌに接続されており、後端が柱状部材１５Ｌに接続されている。右側の胴部支承部２５の前端が柱状部材１４Ｒに接続されており、後端が柱状部材１５Ｒに接続されている。
各胴部支承部２５の基台１０からの高さは、基台１０の上に立つ牛の脇腹と同じ高さである。左右の胴部支承部２５間の幅は、牛を前方から見たときの胴体の横幅に対応する幅である。
【００２０】
右側の胴部支承部２５と柱状部材１４Ｒとの間に前肢固定部２７Ｒが形成されている。前肢固定部２７Ｒは略「Ｃ」の字型をなして湾曲する棒状体である。前肢固定部２７Ｒの後端が右側の胴部支承部２５の中間部に接続されており、前肢固定部２７Ｒの前端が柱状部材１４Ｒの中間部に接続されている。前肢固定部２７Ｒは前側下方に向かって斜めに傾斜している。
また、前肢固定部２７Ｒは右側の胴部支承部２５よりも右外側に湾曲して張り出している。前肢固定部２７Ｒが湾曲して描く曲線の内側は、牛の前肢の橈骨がある部分の外側形状又は中手骨がある部分の外側形状に対応した形状である。前肢固定部２７Ｒの高さは、基台１０の上に立つ牛の前肢の橈骨と同じ高さである。
【００２１】
前肢固定部２７Ｒには、複数本の枝状部材２９が緊縛部として右外側に向かって立設されている。これらの枝状部材２９は、前肢固定部２７Ｒの長手方向の互いに異なる位置にそれぞれ並んでおり、各枝状部材２９の高さは異なっている。
前肢固定部２７Ｒと柱状部材１４Ｒとの間に、上下２本の横方向の棒状部材２８Ａが設置されており、その後端が前肢固定部２７Ｒに植設されている。また、下側の横方向の棒状部材２８Ａと前肢固定部２７Ｒとの間に左右２本の縦方向の棒状部材２８Ｂが設置されており、その下端が前肢固定部２７Ｒに植設されている。これら４本の棒状部材２８Ａ、２８Ｂは、「元」の字型をなし、補助棒２８を形成している。補助棒２８は、前肢固定部２７Ｒの一部をなす。
【００２２】
柱状部材１４Ｒにおいて、前肢固定部２７Ｒが接続されている位置よりも上方に滑車３０が取り付けられている。
前肢固定部２７Ｒと同様の構成を有する前肢固定部２７Ｌが、牛用前肢固定装置１の左側に形成されている。前肢固定部２７Ｒと前肢固定部２７Ｌとは左右対象をなしている。また、柱状部材１４Ｌにおいても、前肢固定部２７Ｌが接続されている位置よりも上方に滑車３０が取り付けられている。
【００２３】
上枠１６の右側の辺から２本の腹帯３２が吊り下げられている。腹帯３２の下端にはフック３３が形成されている。上枠１６の左側の辺から、２基のチェーンブロック３５が吊り下げられている。上枠１６において、腹帯３２とチェーンブロック３５は、その吊り下げられている位置を前後方向に自由に移動可能に構成されている。なお、図２及び図３において、腹帯３２とチェーンブロック３５の図示は省略している。
【００２４】
上枠１６の上には、巻き上げ機３６Ａ、３６Ｂがのっている。ロープ３７Ａの終端が巻き上げ機３６Ａの巻上げ部に接続されており、ロープ３７Ａの先端は自由端となっている。ロープ３７Ｂの終端が巻き上げ機３６Ｂの巻上げ部に接続されており、ロープ３７Ｂの先端は自由端となっている。巻き上げ機３６Ｂとロープ３７Ｂが前肢引き上げ部３９をなす。
牛用前肢固定装置１は上述した構成を有している。次に、牛用前肢固定装置１の使用方法について説明する。
【００２５】
以下の説明では、削蹄師が牛の削蹄作業を行う場合を例にとって説明する。
まず、削蹄師は削蹄する牛を入口扉１８の前に立たせ、入口扉１８を開き、出口扉１９を閉じてロックする。ロープ３７Ａを滑車２３に架けて、ロープ３７Ａを出口扉１９の開口部２０から入口扉１８まで通し、ロープ３７Ａの先端を牛の鼻輪に結びつける。巻き上げ機３６Ａによってロープ３７Ａを巻き取ると、牛はロープ３７Ａに引っ張られて入口扉１８を通り、基台１０の上にのる。
【００２６】
牛が頭部と頸部が開口部２０から外に突き出し、尻まで枠体１２の内側に入ったら、削蹄師は、巻き上げ機３６Ａを停止し、入口扉１８を閉じてロックする。そして、腹帯３２を牛の腹の下に通し、腹帯３２のフック３３をチェーンブロック３５に架け、チェーンブロック３５で腹帯３２のフック３３側を引き上げる。腹帯３２をかけられた牛は、枠体１２内で身動きを拘束される。
例えば、削蹄師は、先ず、牛の左前肢の削蹄作業を行う。
【００２７】
削蹄師はロープ３７Ｂを柱状部材１４Ｌの滑車３０に架け、ロープ３７Ｂの先端側を牛の左前肢の中手骨がある部分に結びつける。なお、この際、ロープ３７Ｂの先端部に多少の遊びが生じるようにする。
削蹄師は巻き上げ機３６Ｂによってロープ３７Ｂをゆっくりと巻き上げる。巻き上げ機３６Ｂがロープ３７Ｂを巻き上げると、左前肢の中手骨がある部分が上方に引っ張り上げられる。左前肢が前膝のところで折れ曲がった状態となり、左前肢の手根骨の部分が鋭角をなして前方に突出し、左前肢の蹄が宙に浮いた状態となる。
【００２８】
削蹄師は、左前肢の蹄が削蹄作業を行うのに好ましい高さまで上昇したら巻き上げ機３６Ｂを停止する。そして、左前肢の中手骨がある部分を前肢固定部２７Ｌにあてがい、ロープ３７Ｂの先端の遊び部分を用いて、左前肢の中手骨がある部分を一番近くにある前肢固定部２７Ｌの補助棒２８のいずれか棒状部材に縛り付ける。削蹄師は、左前肢の蹄の裏面が作業しやすい向きを向くようにして、蹄の生え際を前肢固定部２７Ｌのいずれかの枝状部材２９にロープなどを用いて縛り付けて固定する。
【００２９】
蹄の生え際をいずれの枝状部材２９に縛り付けるかによって、削蹄師は、蹄の裏面の角度などを調整できる。また、左前肢の中手骨がある部分が補助棒２８に既に縛り付けられているので、左前肢の蹄の裏面の向きの調整は、削蹄師にとって容易である。
削蹄師は、左前肢の削蹄を終えたら、ロープ３７Ｂを枝状部材２９から解き、巻き上げ機３６Ｂがロープ３７Ｂを繰り出し、牛を４本の肢で立たせる。その後、同様の手順で右前肢の削蹄を行う。
【００３０】
削蹄師が、後肢の削蹄を行う場合は、後肢の中手骨がある部分や蹄の生え際部分を入口扉１８の一部にロープを使って縛り付けて固定し、後肢の蹄の裏面を後方に向ければよい。
削蹄師が肢の削蹄している間、牛は３本の肢で基台１０の上に立っている。３本の肢で立つ牛が、身体のバランスを崩すことがあったとしても、牛は胴部支承部２５に身体をもたれかけさせることによって身体を支えることができる。したがって、削蹄作業中の削蹄師の上に牛が倒れてくることはない。
【００３１】
すべての肢の削蹄が終わったら、削蹄師は腹帯３２を牛の腹の下から外す。そして、出口扉１９のロックを外して出口扉１９を開き、巻き上げ機３６Ａによってロープ３７Ａを巻き取る。牛はロープ３７Ａに引っ張られて出口扉１９を通り、牛用前肢固定装置１の外に出る。そして、削蹄師はロープ３７Ａを牛の鼻輪から外す。
削蹄以外の作業を前肢の蹄の裏面に対して行う場合も、上述したのと同様の手順を踏むことによって、その作業の効率化と安全化を図ることができる。
【産業上の利用可能性】
【００３２】
上記のような牛用前肢固定装置であるので、牛を飼育する農家において、牛の蹄の裏面に対して何らかの作業を行う場合に、その作業の容易化と安全性を向上させる牛用前肢固定装置として有用である。
【符号の説明】
【００３３】
１    牛用前肢固定装置
１０    基台
１２    枠体
１４Ｌ、１４Ｒ、１５Ｌ、１５Ｒ、    柱状部材
１６    上枠
１８    入口扉
１９    出口扉
１９Ｒ    右扉
１９Ｌ    左扉
２０    開口部
２２    棒状部材
２３    滑車
２５    胴部支承部
２７Ｌ、２７Ｒ    前肢固定部
２８    補助棒
２８Ａ、２８Ｂ    棒状部材
２９    枝状部材
３０    滑車
３２    腹帯
３３    フック
３５    チェーンブロック
３６Ａ、３６Ｂ    巻き上げ機
３７Ａ、３７Ｂ    ロープ
３９    前肢引き上げ部
【図１】
0003164026.tif 000003
【図２】
0003164026.tif 000004
【図３】
0003164026.tif 000005